(57)【要約】【課題】洗濯機及び洗濯乾燥機に搭載する電子制御ユニットにおいて、作業能率が良く、防水性が高いハーネスの引出し構造を提供する。【解決手段】基板カバーの端面の一部を基板ケースの端面より内側に位置する形状とし、その部分の基板カバーの端面の高さを基板ケースの端面以上とし、そこからハーネスを引出す構造により、他に特に手を加えずとも水切りの為のトラップ構造を作る。【選択図】図３
2004008273.tif 000002
【特許請求の範囲】
【請求項１】
電子部品を実装したプリント基板を部品面を下向きに水平に配置し、このプリント基板を半田面側から箱型の基板ケースで支持し、部品面側を基板カバーで覆う構造の電子制御ユニットを有する洗濯機、洗濯乾燥機において、
基板カバーの端面の一部を基板ケースの端面より内側に位置する形状とし、その部分の基板カバーの端面の高さを基板ケースの端面以上とし、そこからワイヤハーネス（以下、ハーネスと呼ぶ）を引出すことを特徴とする洗濯機及び洗濯乾燥機の構造。
【発明の詳細な説明】
【０００１】
【発明の属する技術分野】
本発明は洗濯機及び洗濯乾燥機の電子制御ユニットの構造に関する。
【０００２】
【従来の技術】
図２に、以下で説明する防水対策を施した電子制御ユニットの従来例を示す。上段の図は組込み状態でハーネス引き出し口２５ａの正面から見た平面図であり、下段は上段の図をＡ−Ａで切断して矢印方向より見た図（断面図）である。本図以降、プリント基板２２の実装部品、及びポッティング材については省略しているが、いずれも装備していることを前提とする。又、ハーネス２４についても、一本のみ図示して説明しているが、本発明の請求範囲には、複数装備する場合も含むものとする。
【０００３】
洗濯機、及び洗濯乾燥機は、浴室など高湿環境下に設置される場合がある。又、洗濯やすすぎ洗い時に水を溜めることから、この水により本体内部の空気が冷やされる為、本体内部で結露し易く、洗濯機や洗濯乾燥機にプリント基板２２を搭載する場合は、防水、防湿対策が必要である。通常、電子制御部の構造は、プリント基板２２は基板ケース２１に入れて保持し、プリント基板２２の半田面全面と、部品面の電子制御部品の充電部の一部をポッティング材で覆う構造を採る。又、プリント基板２２を水平方向に配置する場合は、部品面を下向きとし、プリント基板２２表面やコネクタ部に水分が溜まることを防いでいる。
【０００４】
本体内部の結露水等の水分が、電子制御ユニットから引出されたハーネス２４を伝わって電子制御ユニット内に侵入すると、プリント基板２２に実装された部品の充電部とハーネス２４が接触した状態では、充電部間でリーク電流が流れ、電子制御部の誤動作や破壊を招く恐れがある。この為、電子制御部のハーネス２４の引き出し口２３は、ハーネス２４との隙間を小さくして水の侵入を抑えたり、電子制御部に引き込む前に、その外で、引き出し口２３よりハーネス２４の高さを下げて滴を切る、トラップ構造２４ａを設ける。
【０００５】
【発明が解決しようとする課題】
引き出し口をハーネス２４の外形とほぼ同じ大きさとして隙間を小さくする構造は、電子制御部内の構成を変更し、引出すハーネス２４の直径、若しくは束径が変わる場合等に対応しづらく設計的な自由度に乏しかった。又、上述したトラップを設ける場合、例えば折り返し部分を結束部品で縛ったり、ハーネス２４自体を本体に固定する際にトラップ形状に纏めるなど、作業能率が悪かった。
【０００６】
本発明の目的は、上述したような問題を解決する構造を提供する。
【０００７】
【課題を解決するための手段】
本発明は、基板カバーの端面の一部を基板ケースの端面より内側に位置する形状とし、その部分の基板カバーの端面の高さを基板ケースの端面以上とし、そこからワイヤハーネスを引出すことを特徴とする。
【０００８】
【発明の実施の形態】
図１に本発明の実施例である洗濯乾燥機の縦断面側面図を示し、以下、主な構成部品を紹介する。外枠１の内部に複数のサスペンション２で支持された外槽３があり、その中に洗濯槽４がありその底部に攪拌用のパルセータ５があり、その軸と同軸上にメインモータ１７を組込んだ駆動部６が位置している。上面部分のトップカバー７には表示用基板８を初めとして、乾燥用ヒータ１０、洗剤溶かし部１１及び風呂水給水ポンプ１２等も収納されている。各電気部品を制御する主基板９は、この実施例では、外槽部３の底部に近い部分に配置されており、各電気部品とはハーネス２４により接続されている。ハーネス２４の配線経路の途中に、水切りの為に周囲より低くした、トラップ構造２４ａを設ける。主基板９へハーネスを引き込む部分は、本発明を採用したトラップ構造２４ｂである。
【０００９】
外槽３の背面下部には送風ファン用モータ１３が装備され、ヒータで発生した熱を洗濯槽内に循環さて洗濯槽４内の洗濯物を乾燥させ、蒸気を多量に含んだ空気を凝縮装置１４の中で水道水により冷却し凝縮させることで効果的に乾燥させている。又、外槽３の下部には、排水バルブ１６が装備され、洗濯、すすぎ時にはこれを閉じて外槽３内に水を溜める。洗濯、すすぎ運転終了後、および脱水時には排水バルブ１６が開き、排水ホース１７を経由して排水する。又、乾燥運転時にも排水バルブ１６を開け、凝縮水を排出する。通常、洗濯機、洗濯乾燥機は、防水パン１８内に設置され、排出された水は、防水パン内に溜められた後、屋外に徐々に送られる。この為、防水パン内には常に水が溜まっていることもある。
【００１０】
洗濯機に付いては、図１に示した洗濯乾燥機に対し、乾燥機能が無い為に乾燥用ヒータ１０、凝縮装置１４、送風用ファンモータ１３といった部品が無くなるだけであり、基本構成は図１と同様である。
【００１１】
洗濯、すすぎ運転時は、外槽３の中に水を溜めて洗濯槽４やパルセータ５により水及び洗濯物を攪拌して行うが、この溜まった水が外枠１、及びトップカバー７内の空気を冷やす為、これらの内部では結露が生じ易い。又、外枠１の内部で生じた結露が滴下すると、防水パン１８に溜まった水が跳ね返り水滴が散乱する。更に、浴室など高湿環境に設置される場合があり、本体内部への湿った空気の侵入は避けられない。
【００１２】
図３、図４に、本発明の実施例を示す。図３の上段の図は、組込み状態で下から見た平面図であり、下段は上段の図をＢ−Ｂで切断して矢印方向より見た図（断面図）である。図４は、図３のＣ−Ｃで切断して矢印方向から見た断面図である。基板カバーの端面の一部２５ｂを基板ケースの端面２１ａより内側に位置する形状とし、その部分の基板カバーの端面２５ｂの高さを基板ケースの端面２１ａ以上とし、その開口部２５ａからハーネス２４を引出した構造である。
【００１３】
ハーネス２４は、内側に位置させた基板カバーの端面２５ｂの上を通り、基板ケースの端面２１ａの下を通って電子制御部の外へ出て行く。上述した通り、基板カバーの端面２５ｂの高さが基板ケース２１ａの高さ以上であるので、ハーネス径若しくは束の径を考慮すると、ハーネス２４は電子制御部の外へ出る前に必然的に下がる為、特に手を加えずとも、自然にトラップ構造２４ｂが出来る。
【００１４】
開口部２５ａを、ハーネス２４に対し充分広く取れば、ハーネス２４の直径、若しくは束径を自由に設定出来、設計の自由度が向上する。
【００１５】
又、ハーネス２４間で電気的結合が有り、その為に不具合が生じた場合、一般的にはそれらを離して距離をとるのも有効な策である。図２で説明した従来例では、ハーネス引き出し口の新設が必要であり、予めこれを余分に設ける場合は、ハーネスを通さない箇所で水の侵入の恐れがあるという問題がある。本発明の構造では、開口部２５ａを充分広くとることにより、不具合が生じたハーネス２４間の距離を離すことも可能である。
【００１６】
図１の実装例の様に、電子制御ユニット（主基板９）を外槽３の下部に配置する場合、本体内部から欠結露水が防水パン１８の水溜まりに落ち、跳ね返った水滴が開口部２５ａより侵入する恐れがある。この為、開口部２５ａの下から見える範囲のプリント基板２２には、ポッティング材より充電部が露出する部品を実装しないことが望ましい。
【００１７】
【発明の効果】
本発明により、洗濯機、洗濯乾燥機の上述したような構造において、他に特に手を加えずともトラップ構造を設けることが出来、防水に対する信頼性、加工性が増す。又、開口部を充分広く取ることで、設計的な様々な自由度の向上が期待出来る。
【図面の簡単な説明】
【図１】洗濯乾燥機の縦断面側面図である。
【図２】従来の電子制御部の実装例と、その側面断面図である。
【図３】本発明を適用した電子制御部の実装例と、その側面断面図である。
【図４】図３のＣ−Ｃ断面図である。
【符号の説明】
１…外枠、２…サスペンション、３…外槽部、４…洗濯槽、５…パルセータ、６…駆動部、７…トップカバー部、８…表示用基板、９…主基板、１０…乾燥用ヒータ、１１…洗剤溶かしモータ、１２…風呂水ポンプ用モータ、１３…送風用ファンモータ、１４…凝縮装置、１６…排水バルブ、１７…排水ホース、１８…防水パン、２１…基板ケース、２１ａ…基板ケース端面、２２…プリント基板、２３…ハーネス引き出し口、２４…ハーネス、２４ａ…トラップ構造（従来例）、２４ｂ…トラップ構造（本発明を採用したもの）、２５…基板カバー、２５ａ…開口部、２５ｂ基板カバー端面の基板ケース内側に位置させた部分。
【図１】
2004008273.tif 000003
【図２】
2004008273.tif 000004
【図３】
2004008273.tif 000005
【図４】
2004008273.tif 000006